(57)【要約】【目的】この発明の目的は、体格に合わせてシャワーの高さや向きを調整でき、楽な姿勢でシャワーを浴びることができ、使用感を向上することにある。【構成】このため、この発明は、シャワーホースが接続される本体の基端側に被保持部を備えるとともに前記本体の先端側に前記シャワーホースにより供給される温水を放出する放水部を備えたシャワーヘッドを設け、このシャワーヘッドを浴室の壁面に保持させるシャワーヘッドの保持構造において、長手方向に長い少なくとも屈曲自在な連絡部材とこの連絡部材の一端側を前記浴室の壁面に支持させる支持部材と前記連絡部材の他端側に前記シャワーヘッドの被保持部を保持させる保持部材とからなる保持具を設けたことを特徴とする。【選択図】        図１
2004293203.tif 000002
【特許請求の範囲】
【請求項１】
シャワーホースが接続される本体の基端側に被保持部を備えるとともに前記本体の先端側に前記シャワーホースにより供給される温水を放出する放水部を備えたシャワーヘッドを設け、このシャワーヘッドを浴室の壁面に保持させるシャワーヘッドの保持構造において、長手方向に長い少なくとも屈曲自在な連絡部材とこの連絡部材の一端側を前記浴室の壁面に支持させる支持部材と前記連絡部材の他端側に前記シャワーヘッドの被保持部を保持させる保持部材とからなる保持具を設けたことを特徴とするシャワーヘッドの保持構造。
【請求項２】
前記連絡部材は、可撓性を有する材料により屈曲自在に形成して設けたことを特徴とする請求項１に記載のシャワーヘッドの保持構造。
【請求項３】
前記支持部材は、前記浴室の壁面に取付けられたシャワーフックの支持穴部に挿入して支持される挿入部を設けたことを特徴とする請求項１に記載のシャワーヘッドの保持構造。
【請求項４】
前記保持部材は、前記シャワーヘッドの被保持部を挿入して保持させる保持穴部を設けたことを特徴とする請求項１に記載のシャワーヘッドの保持構造。
【発明の詳細な説明】
【０００１】
【発明の属する技術分野】
この発明はシャワーヘッドの保持構造に係り、特に、体格に合わせてシャワーの高さや向きを調整でき、楽な姿勢でシャワーを浴びることができ、使用感を向上し得るシャワーヘッドの保持構造に関する。
【０００２】
【従来の技術】
浴室に設けられるシャワー装置は、シャワーホースが接続される本体の基端側に被保持部を備えるとともに本体の先端側にシャワーホースにより供給される温水を放出する放水部を備えたシャワーヘッドを設けている。シャワーヘッドは、通常、浴室の壁面に適宜の保持手段により被保持部を保持させている。
【０００３】
従来のシャワーヘッドの保持構造には、浴室の壁面に取付けたシャワーフックの差込穴部にシャワーヘッドの被保持部を挿入して保持させるシャワーフックの保持構造において、前記シャワーフックの差込穴部内に係合凹部を設け、前記シャワーヘッドの被保持部に前記係合凹部に弾性係合される係合突起を設け、シャワーフックにシャワーヘッドを安定して保持させたものがある（例えば、特許文献１参照。）。
【０００４】
また、従来のシャワーヘッドの保持構造には、弾性体により伸縮自在な筒状の伸縮性支持棒を浴室の壁面に沿って上下方向に設置し、この伸縮性支持棒にシャワーヘッドを保持するシャワーフックを任意高さ位置で固定可能に設けたものがある（例えば、特許文献２参照。）。
【０００５】
【特許文献１】
特開平１１−３１５５６８号公報（特許請求の範囲、図１）
【特許文献２】
特開平８−３１１９４６号公報（特許請求の範囲、図７）
【０００６】
【発明が解決しようとする課題】
ところで、従来のシャワーヘッド保持構造においては、前述の如く、浴室の壁面に取付けたシャワーフックにシャワーヘッドを挿入して保持させ、あるいは、浴室の壁面に沿って上下方向に設置した伸縮性支持棒にシャワーフックを任意高さ位置で固定し、このシャワーフックにシャワーヘッドを保持させている。
【０００７】
ところが、従来のシャワーヘッドの保持構造は、浴室の壁面にシャワーフックを直接取付け、あるいは浴室の壁面に沿う伸縮性支持棒にシャワーフックを上下移動可能に設置しているため、シャワーヘッドが浴室の壁面に近接した状態で保持されている。
【０００８】
このため、従来のシャワーヘッドの保持構造においては、シャワーを浴びる際に、壁面に体を近づけて窮屈な姿勢をとらなければならない問題があり、圧迫感を受ける不都合があるとともに、例えば妊婦等のように前屈みの体勢を取ることが困難な人にとってはいすに座った状態でシャワーを浴びることが困難な不都合がある。
【０００９】
また、従来のシャワーヘッドの保持構造においては、シャワーフックにシャワーヘッドが一定の高さ及び角度で保持されるため、シャワーの放水高さや放水向きを調整することができない不都合があり、シャワーの使い勝手が悪い不都合がある。
【００１０】
【課題を解決するための手段】
そこで、この発明は、シャワーホースが接続される本体の基端側に被保持部を備えるとともに前記本体の先端側に前記シャワーホースにより供給される温水を放出する放水部を備えたシャワーヘッドを設け、このシャワーヘッドを浴室の壁面に保持させるシャワーヘッドの保持構造において、長手方向に長い少なくとも屈曲自在な連絡部材とこの連絡部材の一端側を前記浴室の壁面に支持させる支持部材と前記連絡部材の他端側に前記シャワーヘッドの被保持部を保持させる保持部材とからなる保持具を設けたことを特徴とする。
【００１１】
【発明の実施の形態】
この発明のシャワーヘッドの保持構造は、保持具の屈曲自在な連絡部材の一端側を支持部材によって浴室の壁面に支持させ、この連絡部材の他端側に保持部材によってシャワーヘッドの被保持部を保持させることによって、シャワーヘッドを浴室の壁面から適宜の距離だけ離間させて保持させることができ、また、連絡部材を屈曲させることによって、シャワーヘッドの高さ及び角度を任意に変更することができる。
【００１２】
【実施例】
以下図面に基づいて、この発明の実施例を説明する。図１・図２は、第１実施例を示すものである。図２において、２は浴室、４は床面、６は壁面、８は椅子、１０は人、１２はシャワーヘッド、１４はシャワーホースである。シャワーヘッド１２は、図１に示す如く、シャワーホース１４が接続される本体１６の基端側にテーパ形状の被保持部１８を備えるとともに、本体１６の先端側にシャワーホース１４により供給される温水を放出する放水部２０を備えている。
【００１３】
このシャワーヘッド１２を浴室２の壁面６に保持させるシャワーヘッド１２の保持構造においては、保持具２２を設けている。保持具２２は、長手方向に長い少なくとも屈曲自在な連絡部材２４と、この連絡部材２４の一端側を浴室２の壁面６に支持させる支持部材２６と、連絡部材２４の他端側にシャワーヘッド１２の被保持部１８を保持させる保持部材２８と、からなる。
【００１４】
前記連絡部材２４は、適宜の長さ（例えば、３０ｃｍ）を有し、可撓性を有する材料により形成して設けている。この連絡部材２４は、例えば、可撓性を有する帯状の長い金属材料３０の一側縁に他側縁を係合させながら螺旋状に捲回することにより、屈曲自在に中空筒形状に形成して設けている。なお、連絡部材２４は、シャワーを浴びる人１０が片手で容易に屈曲させることができ、且つシャワーヘッド１２の重量に耐え得る強度を有している。
【００１５】
前記支持部材２６は、連絡部材２４の一端側に接続される接続部３２を設け、、この接続部３２からテーパ形状の挿入部３４を垂下して設けている。挿入部３４は、浴室２の壁面６に取付けられた平面視において略Ｃ字形状のシャワーフック３６に支持される。シャワーフック３６には、挿入部３４を挿入して支持するテーパ形状の支持穴部３８を設け、シャワーホース１４を挿通する開口部４０を設けている。
【００１６】
前記保持部材２８は、連絡部材２４の他端側に接続される接続部４２を設け、この接続部４２に平面視において略Ｃ字形状の保持部４４を設け、この保持部４４にテーパ形状の保持穴部４６を設け、シャワーホース１４を挿通する開口部４８を設けている。保持穴部４６には、シャワーヘッド１２の本体１６の被保持部１８を挿入して保持させる。
【００１７】
次に作用を説明する。
【００１８】
図２に示す如く、浴室２おいて人１０が椅子８に座りシャワーを浴びる際には、保持具２２を介してシャワーヘッド１２をシャワーフック３６に保持させる。
【００１９】
保持具２２は、図１に示す如く、連絡部材２４の一端側の支持部材２６の挿入部３４をシャワーフック３６の支持穴部３８に挿入して支持させ、連絡部材２４の他端側をシャワーを浴びる人１０の方向に延ばして配置し、保持部材２８の保持穴部４６にシャワーヘッド１２の本体１６の被保持部１８を挿入して保持させる。
【００２０】
保持具２２により浴室２の壁面６から適宜の距離だけ離間させて保持されたシャワーヘッド１２は、図２に示す如く、図示しないカランを操作して温水を出すことにより、放水部２０から温水を放出させることができ、椅子に座った人１０にシャワーを浴びせることができる。
【００２１】
このように、このシャワーヘッド１２の保持構造は、保持具２２の屈曲自在な連絡部材２４の一端側を支持部材２６によって浴室２の壁面６に支持させ、この連絡部材２４の他端側に保持部材２８によってシャワーヘッド１２の被保持部１８を保持させることにより、シャワーヘッド１２を浴室２の壁面６から適宜の距離だけ離間させて保持させることができる。
【００２２】
このため、このシャワーヘッド１２の保持構造は、人１０がシャワーを浴びる際に、壁面６に体を近づけて窮屈な姿勢をとる必要がなく、楽な姿勢でシャワーを浴びることができる。
【００２３】
また、このシャワーヘッド１２の保持構造は、保持具２２の連絡部材２４を矢印に示す如く屈曲させることによって、シャワーヘッド１２の放水部２０の高さや角度を任意に変更することができる。
【００２４】
このため、このシャワーヘッド１２の保持構造は、シャワーを浴びる人１０の体格に合わせて、シャワーの放水高さや放水向きを調整することができ、使用感を向上することができる。
【００２５】
図３は、第２実施例を示すものである。第２実施例のシャワーヘッド１２の保持構造は、連絡部材２４を耐水性材料からなるカバー部材５０により被覆して設けたものである。
【００２６】
第２実施例のシャワーヘッド１２の保持構造は、連絡部材２４をカバー部材５０によって被覆したことにより、連絡部材２４の防水を図ることができるとともに、連絡部材２４を屈曲する際に滑り止めを果たすことができる。
【００２７】
図４は、第３実施例を示すものである。第３実施例のシャワーヘッド１２の保持構造は、保持部材２８に保持されたシャワーヘッド１２の放水方向を変更する操作部材５２を設けたものである。操作部材５２は、保持部材２８の接続部からシャワーを浴びる人１０の方向に延長して設けている。
【００２８】
第３実施例のシャワーヘッド１２の保持構造は、保持部材２８に設けた操作部材５２を操作することによって、連絡部材２４を容易に屈曲させることができ、シャワーヘッド１２の放水部２０の放水高さや放水向きを容易に調整することができ、使用感を向上することができる。
【００２９】
図５は、第４実施例を示すものである。第４実施例のシャワーヘッド１２の保持構造は、連絡部材２４の他端側に球状空間形状の凹部５４を備えた受け部材５６を設け、保持部材２８の接続部４２に代えて凹部５４に枢支される球体形状の突部５８を保持部４４に設け、受け部材５６の凹部５４に保持部材２８の突部５８を回動可能に枢支して設けたものである。
【００３０】
第４実施例のシャワーヘッド１２の保持構造は、受け部材５６の凹部５４と保持部材２８の突部５８とによって、連絡部材２４に保持部材２８を回動可能に枢支したことにより、保持部材２８を上下・左右方向に回動させることができるとともに回転させることができ、シャワーヘッド１２の放水部２０の放水向きを容易且つ微妙に調整することができ、使用感を向上することができる。
【００３１】
図６は、第５実施例を示すものである。第５実施例のシャワーヘッド１２の保持構造は、支持部材２６の挿入部３４に代えて浴室２の平面部６０に吸着される吸盤部６２を設けたものである。吸盤部６２は、接続部３２に連設され、壁面６やこの壁面６に取付けられた鏡（図示せず）等の表面である平面部６２に吸着される。
【００３２】
第５実施例のシャワーヘッド１２の保持構造は、支持部材２６に吸盤部６２を設けたことによって、浴室２の壁面６や鏡等の平面部６０を利用して吸盤部６２を吸着させ、保持具２２の一端側を任意の位置に支持させることができ、これにより、シャワーフック３６を不要にすることができるとともに、シャワーを浴びる人１０の体格に合わせてシャワーヘッド１２を所望に位置に保持させることができ、使用感を向上することができる。
【００３３】
図７は、第６実施例を示すものである。第６実施例のシャワーヘッド１２の保持構造は、支持部材２６の挿入部３４に代えて浴室２の磁性体部６４に吸着される永久磁石６６を設けたものである。永久磁石６６は、接続部３２に連設された固定部６８に固定され、壁面６やこの壁面６に取付けられた浴用品設置棚（図示せず）等の鉄製素材からなる磁性体部６４に磁着される。
【００３４】
第６実施例のシャワーヘッド１２の保持構造は、支持部材２６に永久磁石６６を設けたことによって、浴室２の鉄製素材からなる壁面６や浴用品設置棚等の磁性体部６４を利用して、保持具２２の一端側を任意の位置に支持させることができ、これにより、シャワーフック３６を不要にすることができるとともに、シャワーを浴びる人１０の体格に合わせてシャワーヘッド１２を所望に位置に保持させることができ、使用感を向上することができる。
【００３５】
図８は、第７実施例を示すものである。第７実施例のシャワーヘッド１２の保持構造は、保持具２２として連絡部材２４・２４を２本設け、２本の連絡部材２４・２４の各一端側に夫々支持部材２６・２６を設けるとともに各他端側を集合して単一の保持部材２８を設けたものである。この実施例の保持部材２８は、２本の連絡部材２４の他端側に接続される二股形状の接続部４２を設け、この接続部４２に保持部４４を設け、この保持部４４に保持穴部４６及び開口部４８を設けている。
【００３６】
第７実施例のシャワーヘッド１２の保持構造は、２本の連絡持部材２４・２４の各支持部材２６・２６を夫々壁面６のシャワーフック３６に支持することにより、三角形状の頂点において単一の保持部材２８によってシャワーヘッド１２を安定して保持することができ、また、２本の連絡持部材２４・２４の間隔を調整することができ、さらに、２つの支持部材２６・２６の一方が外れた場合にも他方で支持することができ、使用感を向上することができる。
【００３７】
図９は、第８実施例を示すものである。第８実施例のシャワーヘッド１２の保持構造は、保持具２２の連絡部材２４を平行リンク機構６８により長手方向に伸縮自在に構成して設けたものである。
【００３８】
リンク機構６８は、一対二組の平行部材７０・７０、７２・７２を設けるとともに１本の中間部材７４を設け、上下に平行に配列した一方の平行部材７０・７０の各一端側を支持部材２６の接続部３２に支軸７６・７６により上下回動可能に軸支して設け、上下に平行に配列した一方の平行部材７０・７０の各他端側と上下に平行に配列した他方の平行部材７２・７２の各一端側とを支軸７８・７８により上下回動可能に軸支して設けるとともに、これら支軸７８・７８により中間部材７４の両端側を平行部材７０・７０、７２・７２の各端に夫々軸支して設け、他方の平行部材７２・７２の各他端側を保持部材２８の接続部４２に支軸８０・８０により上下回動可能に軸支して設けている。
【００３９】
第８実施例のシャワーヘッド１２の保持構造は、保持具２２の支持部材２６と保持部材２８とを平行リンク機構６８によって長手方向に伸縮自在に構成して設けたことにより、シャワーを浴びる人１０の体格に合わせて、２点鎖線で示す如くシャワーヘッド１２を浴室２の壁面６から任意の位置に離間させて保持させることができ、楽な姿勢でシャワーを浴びることができ、使用感を向上することができる。
【００４０】
図１０は、第９実施例を示すものである。第９実施例のシャワーヘッド１２の保持構造は、保持具２２の連絡部材２４をパンタグラフ機構８２により長手方向に伸縮自在に構成して設けたものである。
【００４１】
パンタグラフ機構８２は、一対三組の交差部材８４・８４〜８８・８８を設け、これら交差部材８４・８４〜８８・８８の各中間を夫々支軸９０〜９４により回動可能に軸支して設け、上下に交差して配列した第１の交差部材８４・８４の各一端側を支持部材２６の接続部３２に支軸９６・９６により上下回動可能に軸支して設けるとともに上側の支軸９６をガイド部材９８により上下移動可能に支持して設け、上下に交差して配列した第１の交差部材８４・８４の各他端側と上下に交差して配列した第２の交差部材８６・８６の各一端側とを支軸１００・１００により上下回動可能に軸支して設け、上下に交差して配列した第２の交差部材８６・８６の各他端側と上下に交差して配列した第３の交差部材８８・８８の各一端側とを支軸１０２・１０２により上下回動可能に軸支して設け、上下に交差して配列した第３の控訴部材８８・８８の各他端側を保持部材２８の接続部４２に支軸１０４・１０４により上下回動可能に軸支して設けるとともに上側の支軸１０４をガイド部材１０６により上下移動可能に支持して設けている。
【００４２】
第９実施例のシャワーヘッド１２の保持構造は、保持具２２の支持部材２６と保持部材２８とをパンタグラフ機構８２によって長手方向に伸縮自在に構成して設けたことにより、シャワーを浴びる人１０の体格に合わせて、シャワーヘッド１２を浴室２の壁面６から任意の位置に離間させて保持させることができ、楽な姿勢でシャワーを浴びることができ、使用感を向上することができる。
【００４３】
【発明の効果】
このように、この発明のシャワーヘッドの保持構造は、保持具によって、シャワーヘッドを浴室の壁面から適宜の距離だけ離間させて保持させることができるため、シャワーを浴びる際に、壁面に体を近づけて窮屈な姿勢をとる必要がなく、楽な姿勢でシャワーを浴びることができる。また、この発明のシャワーヘッドの保持構造は、連絡部材を屈曲させることによって、シャワーヘッドの高さ及び角度を任意に変更することができるため、体格に合わせてシャワーの放水高さや放水向きを調整することができ、使用感を向上することができる。
【図面の簡単な説明】
【図１】第１実施例を示す保持具によりシャワーヘッドを保持する際の斜視図である。
【図２】第１実施例を示す保持具の使用状態の斜視図である。
【図３】第２実施例を示す保持具の斜視図である。
【図４】第３実施例を示す保持具の使用状態の斜視図である。
【図５】第４実施例を示す保持具の斜視図である。
【図６】第５実施例を示す保持具の斜視図である。
【図７】第６実施例を示す保持具の斜視図である。
【図８】第７実施例を示す保持具によりシャワーヘッドを保持する際の斜視図である。
【図９】第８実施例を示す保持具の側面図である。
【図１０】第９実施例を示す保持具の側面図である。
【符号の説明】
２  浴室
４  床面
６  壁面
１２  シャワーヘッド
１４  シャワーホース
１６  本体
１８  被保持部
２０  放水部
２２  保持具
２４  連絡部材
２６  支持部材
２８  保持部材
３４  挿入部
３６  シャワーフック
３８  支持穴部
４４  保持部
４６  保持穴部
４８  開口部
【図１】
2004293203.tif 000003
【図２】
2004293203.tif 000004
【図３】
2004293203.tif 000005
【図４】
2004293203.tif 000006
【図５】
2004293203.tif 000007
【図６】
2004293203.tif 000008
【図７】
2004293203.tif 000009
【図８】
2004293203.tif 000010
【図９】
2004293203.tif 000011
【図１０】
2004293203.tif 000012